(57)【要約】【課題】  本発明は、エラー数の少ない光記録媒体およびその記録方法を提供するものである。【解決手段】  本発明の光記録媒体は、光重合開始剤および光重合性化合物を含有する記録層を具備することを特徴とする光記録媒体において、多光子吸収過程を経て発光する色素を具備することを特徴とする。【選択図】  図１１
2007328149.tif 000002
【特許請求の範囲】
【請求項１】
光重合開始剤および光重合性化合物を含有する記録層を具備することを特徴とする光記録媒体において、
多光子吸収過程を経て発光する色素を具備することを特徴とする光記録媒体。
【請求項２】
前記発光の波長は、310nm以上425nm以下の範囲に含まれることを特徴とする請求項１に記載の光記録媒体。
【請求項３】
前記多光子吸収過程を経て発光する色素は、前記記録層に含有され、
前記多光子吸収色素と前記光重合開始剤との平均分子間距離は、１０ナノメートル以上であることを特徴とする請求項１または２に記載の光記録媒体。
【請求項４】
請求項１乃至３のいずれか１項に記載の光記録媒体に記録を行う前もしくは後に、赤色レーザを照射することを特徴とする光記録方法。
【発明の詳細な説明】
【技術分野】
【０００１】
本発明は、光励起による重合反応を用いた光記録媒体、中でもホログラフィ、特にデジタルボリュームホログラフィに適用される光情報記録媒体及びその記録方法に係わる。
【背景技術】
【０００２】
高密度画像など容量の大きなデータを記録可能な情報記録装置として光情報記録装置がある。従来、光情報記録装置としては、光磁気情報記録装置や光相変化型情報記録装置、CD−R、などが実用化されているが、光記録媒体に記録する情報量の高容量化に対する要求は高まる一方である。このような高容量の光情報記録を実現するためにホログラフィ、特にデジタルボリュームホログラフィを用いたホログラム型光情報記録装置が提案されている。
【０００３】
ホログラフィを用いた光記録再生装置は、一般に、コヒーレンスに優れた光を用い、２次元パターンとして情報を付与された情報光と参照光とを光記録媒体の内部で干渉させ、情報を干渉縞として記録する。再生時には、記録された干渉縞に対して参照光のみを照射することにより、干渉縞からの回折像として記録された情報を２次元パターンとして取り出せる。特に、デジタルボリュームホログラフィを用いた光記録再生装置では、光記録媒体の厚み方向を積極的に活用して３次元的に干渉縞を記録することにより、回折効率を高め、光記録媒体内部の同一領域に多重に情報を記録することを可能にし、記録容量を増大できる。
【０００４】
ホログラフィを用いた光記録に適した記録媒体として、光励起による重合反応を用いたフォトポリマが知られている。フォトポリマは、主に、光重合性化合物（低分子）、重合反応を開始するための光重合開始剤、体積を保持するための高分子、で構成される（特許文献１参照）。記録光強度の強い部分で光重合開始剤が励起され、励起された光重合開始剤が近くに存在する光重合性化合物を重合させる。この結果、記録光強度の分布を密度分布、屈折率分布として記録するという記録メカニズムを採る。
【０００５】
フォトポリマにおける光重合性化合物の重合反応は、一度反応が開始すると連鎖的に進行する。このため、光重合開始剤が吸収した光子数に比較して重合反応回数を多くすることが出来、感度に優れていると特徴がある。一方、光重合性化合物は化学的に不安定であることから、記録前のフォトポリマ内で、熱的な励起や室内光のような記録光ではない光によって意図せず重合反応が開始してしまった場合でも重合反応が連鎖的に進行してしまい、シェルフライフに問題がある。
【０００６】
そのため、意図しない重合反応からの連鎖反応を抑えるために、少量の重合禁止剤を添加する場合がある。また、フォトポリマ調合時に意図的に酸素などの不純物を混入させ、重合反応を阻害し、感度などの記録性能を劣化させる場合もある。
【０００７】
このように、重合禁止剤や重合反応を阻害する不純物を含有するフォトポリマをホログラム記録媒体として用いる場合、ホログラムの記録前に重合禁止剤や不純物を失活させるために記録前光処理を行うことが一般的である。
【０００８】
一方、ホログラフィを用いた光記録に適したフォトポリマは、多量の重合開始剤や重合性低分子を含有している。情報を記録した後の光記録媒体中にも重合開始剤や重合性低分子などの未反応成分が多く残る場合がある。上述したように、フォトポリマでは連鎖的な重合反応により記録を行う。このため、ホログラムとして情報を記録した後、未反応成分が残留していると、時間経過とともに必要以上の連鎖反応が進行してしまい、記録が乱れていくといった問題がある。この問題を解決する手段として、記録後の光処理が一般的である。
【特許文献１】特開平11‐352303号
【発明の開示】
【発明が解決しようとする課題】
【０００９】
ここで、記録前後の光処理の光源として記録用ＬＤ（レーザダイオード）をもちいると、コヒーレンスに優れた光であるため記録媒体表面や記録媒体内での微弱な散乱同士の干渉を起因とするノイズホログラムも記録してしまい、エラー数が増大してしまう。このため、記録前光処理としてはコヒーレンスの低いＬＥＤ（発光ダイオード）などを用いることが好ましい。しかしながら、記録用ＬＤの他に記録前後の光処理のためにコヒーレンスの低い光源を別途搭載することは、光記録再生装置の大型化や複雑化につながるといった問題があった。
【００１０】
本発明は、上記事情に鑑みて、エラー数の少ない光記録媒体およびその記録方法を提供するものである。
【課題を解決するための手段】
【００１１】
本発明の光記録媒体は、光重合開始剤および光重合性化合物を含有する記録層を具備することを特徴とする光記録媒体において、多光子吸収過程を経て発光する色素を具備することを特徴とする。
【００１２】
また、本発明の光記録方法は、上述の光記録媒体に記録を行う前もしくは後に、赤色レーザを照射することを特徴とする。
【発明の効果】
【００１３】
本発明は、エラー数の少ない光記録媒体およびその記録方法を提供できる。
【発明を実施するための最良の形態】
【００１４】
以下に、本発明の各実施の形態について図面を参照しながら説明する。なお、実施の形態を通して共通の構成には同一の符号を付すものとし、重複する説明は省略する。また、各図は発明の説明とその理解を促すための模式図であり、その形状や寸法、比などは実際の装置と異なる個所があるが、これらは以下の説明と公知の技術を参酌して適宜、設計変更することができる。
【００１５】
（本発明の概要）
本発明の概要について、２光子吸収色素を用いた場合を例に、図１０および図１１を参照して説明する。
【００１６】
図１１は、本発明に係る２光子吸収に起因する重合反応の機構を示す概略図である。
【００１７】
図１１に示すように、まず、２光子吸収色素は、記録前後の光処理における光（以下、処理光）の光子を２つ吸収し、高いエネルギー状態に励起（２光子励起）する。次に、２光子吸収色素から蛍光もしくは燐光が発せられる。このときの蛍光もしくは燐光の波長は、処理光波長の約２分の１の値となる。処理光としてはＤＶＤやＣＤの様な従来の光ディスクに用いられていた高出力半導体レーザを用いることが好ましい。ＤＶＤに用いられていたGaAlInP系の半導体レーザでは620nm〜680nm程度の発振波長の設計が可能であり、ＣＤに用いられていたGaAlAs系の半導体レーザでは750nm〜850nm程度の発振波長の設計が可能である。これより、例えば、処理光波長が620nm〜850nm（赤色〜近赤外波長）のとき、蛍光もしくは燐光の波長は310nm〜425nm（紫外〜青色波長）となる。２光子吸収色素から発せられた光を重合開始剤が吸収することにより励起し、ラジカルが発生する。発生したラジカルによりホログラム記録時に未反応であった低分子が重合、消費され記録の安定化が図られる。
【００１８】
この機構では、２光子励起発光、光吸収という過程がインコヒーレント過程であるため、処理光の光強度分布に比べて、発生したラジカルの空間的な濃度分布のコントラストが低下する。そのため、未反応成分の重合反応は、処理光の光強度分布に比較して広い範囲で開始する。この結果、散乱の原因になる細かな屈折率分布が生じず、既に記録されているホログラムを乱すことなく記録を安定化することができる。
【００１９】
このような機構により、レーザ光のようなコヒーレンスの高い光を処理光に用いた場合でも、散乱が生じ難くエラー数の少ない光記録媒体およびその記録方法が実現できる。
【００２０】
本発明との比較のために、光造形などで一般的に用いられる、２光子吸収に起因する重合反応の機構について、図１２を参照して説明する。この場合、図１２に示すように重合開始剤が直接２光子を吸収するか、もしくは２光子吸収色素からの発光過程を伴わないエネルギー移動により重合開始剤が励起されるコヒーレント過程を採る。すると、未反応成分の重合反応が処理光の強度分布に比較して同等か狭い範囲で開始するため、散乱の原因となる細かな屈折率分布が生じてしまう。
【００２１】
以上の議論から、本機構の特徴の一つは、２光子励起発光、光吸収というインコヒーレント過程を含むことがわかる。この機構を効率的に生じさせるためには、２光吸収色素から重合開始剤への直接的なエネルギー移動を可及的に生じさせないようにすることが必要である。
【００２２】
これを実現するために、記録層に２光子吸収色素を導入する場合は、２光吸収色素と重合開始剤の平均分子間距離を１０ナノメートル以上とすることが好ましい。具体的には、記録層内での２光子吸収色素の濃度若しくは重合開始剤の濃度を調節することにより達成する。
【００２３】
フォトポリマを構成する有機物は密度が1.1程度であり、重合開始剤の濃度ρ1(wt%)、分子量をM1とすると体積濃度は1.1*ρ1/M1(mol/cm3)になる。この時、重合開始剤１分子に割り当てられる単位体積はV1=1/(1.1*ρ1/M1)/(6.02*102)(nm3)になる。同様に２光子吸収色素１分子に割り当てられる単位体積をV2(nm3)とすると、重合開始剤と２光子吸収色素の平均分子間距離を１０ナノメートル以上にするにはV1* V2 > 203とすることが望ましく、２光子吸収色素の濃度ρ2(wt%)、分子量をM2とすると、
{1/(1.1*ρ1/M1)/(6.02*102)}* {1/(1.1*ρ2/M2)/(6.02*102)} > 203
の条件を満たすことが好ましい。これは重合開始剤と２光子吸収色素が同一媒体中に分散されているため、それぞれの単位体積の積が１０ナノメートルの２倍を一辺とする立方体よりも大きい必要があるという要請から導かれるものである。
【００２４】
２光吸収色素と重合開始剤の平均分子間距離の分析方法は、クロマトグラフィーなど化学的手法を用いたそれぞれの濃度、分子量の同定から可能であり、また、分子量や吸光係数が既知である場合は吸光度測定などの光学的手法でも濃度を求めることが出来る。
【００２５】
405nmの記録光を用いたホログラム記録では、記録媒体の屈折率を１とすると、ホログラムの明暗パターンの周期は最小で203nmになる。本発明ではホログラムの明暗部とも均一に光処理する必要が有るため、２光吸収色素と重合開始剤の平均分子間距離の上限値は、明暗パターンの最小周期の半分程度、１００ナノメートルが好ましい。
【００２６】
基板に２光子吸収色素を導入する場合は、記録層に色素を導入する場合に比較して、２光吸収色素から重合開始剤への直接的なエネルギー移動が起こる確率は低い。しかしながら、基板と記録層の界面で２光吸収色素から重合開始剤への直接的なエネルギー移動が起こり、散乱の原因となる屈折率分布を形成する場合が考えられる。これを抑制するためには、やはり、２光子吸収色素と重合開始剤の分子間距離が１０ナノメートル以上になるようにすることが好ましい。具体的には、基板内での２光子吸収色素の濃度、若しくは記録層内での重合開始剤濃度を調節する、あるいは、基板と記録層の間に直接的なエネルギー移動を妨げる目的のギャップ層を設けるなどの手段を講じることが望ましい。
【００２７】
例えば、前述と同様に、記録層中の重合開始剤の濃度ρ1(wt%)、分子量をM1、基板中の２光子吸収色素の濃度ρ2(wt%)、分子量をM2とすると分子間距離を１０ナノメートル以上にするには
{1/(1.1*ρ1/M1)/(6.02*102)}* {1/(1.1*ρ2/M2)/(6.02*102)} > 103
の条件を満たすことが好ましい。
【００２８】
ギャップ層の層厚としては、分子間距離の制約から１０ナノメートル以上が好ましく、ホログラムの記録されたスポットを効率よく選択的に光処理する観点から１００マイクロメートル以下が好ましい。
【００２９】
２光吸収色素と重合開始剤の平均分子間距離の分析方法は、前述と同様にクロマトグラフィーや光学的手法を用いた濃度、分子量の同定から求めることが出来る。
【００３０】
なお、２光吸収色素と重合開始剤の平均分子間距離の上限値は前述と同じ理由から１００ナノメートルが好ましい。
【００３１】
なお、多光子吸収色素に併せて、多光子吸収過程からのエネルギー移動を経て発光する色素が存在してもかまわない。この場合、発光波長の調整や、２光吸収色素から重合開始剤への直接的なエネルギー移動を妨げることが可能になる。
【００３２】
また、処理光は、記録前に照射することが好ましい。理由は、記録媒体を構成する材料に含まれる酸素や極微量の不純物が重合禁止剤として働く場合があり、この場合、正確なホログラムが記録できない。そのため、予めこの重合禁止剤を反応させてしまう必要があり、処理光を記録前に照射することが好ましい。
【００３３】
本発明に用いられる多光子吸収を示す色素としては、例えば、下記に示すものが上げられる。
【００３４】
2,5-bis(p-dimethylaminocinnamylidene)cyclopentanone
2,6-bis(p-dimethylaminocinnamylidene)cyclohexanone
1,9-bis(p-dimethylamino)-nonane-1,3,6,8-tetraene-5-one
2,5-bis[3-(9-ethyl)carbazoyl-3-ylidene]cyclopentanone
trans-2-[p-formylstyryl]benzimidazole
1,4-bis{4-[2-(4-pyridyl)ethenyl]phenyl}butadiyne
1,4-bis{2,5-dimethoxy-4-[2-(4-pyridyl)ethenyl] phenyl}butadiyne
1,4-bis(4-{2-[4-(N-methyl)pyridinium]ethenyl}phenyl)butadiyne triflate
1,4-bis(2,5-dimethoxy-4-{2-[4-(N-methyl)pyridinium]ethenyl}phenyl)butadiyne triflate2,5-diphenyl-1,3,4-oxadiazole
その他、式（１）〜（３）に示す構造の分子を用いることができる。Ｒは置換基を表し、例えばメチル基、シアノ基、ニトロ基本、カルボニル基などを用いることが出来る。
【化１】
2007328149.tif 000003
【００３５】
以下、詳細に本発明の実施の形態を説明する。本発明に係るホログラフィ（ホログラム）とは、透過型ホログラフィ（透過型ホログラム）であっても反射型ホログフィ（反射型ホログラム）であっても構わない。
【００３６】
また、本発明に係るホログラフィを用いた光情報記録再生装置における情報光と参照光の干渉方法は、二光束干渉法であっても同軸干渉法であってもかまわない。
【００３７】
（反射型光記録媒体）
次に実施形態の一例について詳細に説明する。図１に、本発明の実施形態の一例として、反射型同軸干渉法に用いられるディスク状に形成された光記録媒体１と、その近傍での光学系の概略図を示す。光記録媒体１は、ガラス、ポリカーボネート等によって形成された透明基板４を有し、透明基板４の主面上に記録層３、他方の主面上には反射層５を備えており、さらに記録層３の光入射側には保護層２を備えている。なお保護層２は設けなくともよい。記録層３はフォトポリマより形成されている。記録層３に用いられるホログラム記録材料は有機材料であっても無機材料であっても構わない。反射層５は記録光波長における反射率が高い材料、例えばアルミニウムなどによって形成されている。図示していないが、反射層５における透明基板４側の面はトラッキングサーボを行うための情報とアドレス情報とが予め凹凸などの構造により記録されていてもよい。トラッキングサーボを行う手法としては、連続サーボ方式を用いることが好ましいが、反射層５での記録光の乱れが問題になる場合はサンプルドサーボ方式を用いてもかまわない。トラッキングサーボを行うための情報としては、例えばウォブルピットを用いることが出来る。対物レンズ７よって光記録媒体１に照射された記録光は記録層３の中で干渉しホログラム６を形成する。
【００３８】
このうち、多光子吸収色素を添加する部分としては、透明基板４、若しくは記録層３が好ましいが、これに限られない。
【００３９】
記録層３の厚みは、例えば４μｍ以上１０００μｍ以下である。
【００４０】
記録層３の材料は、フォトポリマーと呼ばれるラジカル重合型のホログラム記録材料である。フォトポリマーは、光重合性化合物、光重合開始剤およびマトリックス材料を含むのが一般的であり、その他、酸発生剤、ラジカル発生剤、色素、オリゴマー等を含んでもよい。
【００４１】
光重合性化合物としては、アクリレート基を有する化合物が好ましく、イソボルニルアクリレート、フェノキシエチルアクリレート、ジエチルグリコールモノエチルエーテルアクリレート、エチルアクリレート、ビニルベンゾエート、ビニルナフトエートなどの水素をを一部塩素化した化合物や、屈折率差を高めるためにこれらの化合物にＳｉを含有する置換基を付与させた化合物が挙げられる。具体的には、（トリメチルシリルオキシ）ジメチルシリルプロピルアクリレートや（ペルフルオクロケキシル）メチルアクリレートなどである。また、Ｎ−ビニルカルバゾールを含有させることがある。
【００４２】
光重合性化合物は、単独でも２種以上を混合して用いてもよい。光重合性化合物の含有量は、記録層３に対して5ｗｔ％以上50ｗｔ％以下程度が好ましい。
【００４３】
光重合開始剤は、光を吸収して重合反応を開始させる化合物であり、代表的なものとしては、ビス（２，６−ジフルオロ−３−ピロルフェニル）チタノセンが挙げられる。
【００４４】
光開始剤の含有量は、記録光波長、記録層３膜厚、光開始剤の光吸収量等に応じて適宜選択することができ、0.1ｗｔ％以上5.0ｗｔ％以下程度が好ましい。
【００４５】
マトリックス材料としては、例えばエステル基を有するポロビニルアセテートのような各種ビニルポリマー、ポリカーボネート、ポリアリレート、ノルボルネン系樹脂、ポリメチルメタクリレート、セルロースアセテートブチレート、ポリスチレンメチルメタクリレート、エポキシ樹脂、等を用いることができる。マトリックス材料の含有量は、記録層３に対して20ｗｔ％以上80ｗｔ％以下程度が好ましい。
【００４６】
以下、記録層３の任意成分について説明する。これらは、記録層３全体に対して0.1ｗｔ％程度含有されていれば効果を得ることができる。ただし、過剰に含有されると感度が低下するおそれがあるので、その含有量は0.001wt%以上0.1ｗｔ％以下程度にすることが望まれる。
【００４７】
酸発生剤としては、例えば  アリールジゾニウム塩、ジアリールヨードニウム塩、トリアリールスルホニウム塩、トリアリールセレノニウム塩、ジアルキルフェナシルスルホニウム塩、シアルキル-4-ヒドロキシフェニルスルホニウム塩、スルホン酸エステル、鉄アレーン化合物、等を用いることができる。
【００４８】
ラジカル発生剤としては、例えば芳香族カルボニル化合物、とくにα, α-ジメトキシ-  α-フェニルアセトフェノン  等が挙げられる。
【００４９】
色素としては、例えばアジド系化合物、５−ニトロアセナフテン、1,2−ベンズアンスラキノン、1-ニトロ-4-アセチルアミノナフタレン、メチレンブルー、サブラニンO、マラカイトグリーン、シアニン染料、ローダミン染料などが挙げられる。
【００５０】
オリゴマーとしては、例えば、重合後のラジカル重合性化合物の主鎖の両端に反応基がついた多官能のアクリレート樹脂、エポキシ樹脂等を用いることができる。
【００５１】
記録層３の膜厚は、基板８の厚み、レンズの開口数、記録層３の感度、記録層３の回折効率、記録層３の光学濃度、記録の多重方法、検出器の感度等に応じて適宜選択することができる。例えば、レンズの開口数0.6、基板８の厚み0.6mmの場合には、100μｍ以上500μｍ以下程度である。
【００５２】
（反射型光情報記録再生装置）
次にホログラフィを用いた光情報記録再生装置の一例として、図１に示した光情報記録媒体を適用できる光記録再生装置について説明する。従来、反射型同軸ホログラフィは、再生時に参照光を照射した場合、再生光としての回折光と回折されなった残りの透過光とが同軸で光検出器に入射するためにＳＮ比が悪くなるという問題があった。このような問題点を解決する新しい記録方式として堀米らは偏光によって参照光と再生光を分離する反射型偏光同軸干渉方式を発明した。この方式は例えば公開特許P2002-123949で開示されている。また近年では、国際学会であるOptical Data Storage Topical Meeting 2004 においては堀米らから、一つの空間光変調器を用いて情報光と変調された参照光を生成しホログラムを記録し、光軸の中心部と周辺部で参照光と再生光を分離する新しい同軸干渉の手法が発表されている。
【００５３】
図２に、本発明の一実施形態として同軸干渉法を用いた光記録再生装置の概略図を示し、構成について詳細に説明する。この装置は前述の、一つの空間光変調器を用いて情報光と変調された参照光を生成しホログラムを記録する同軸干渉の手法を用いている。光源装置８としては、可干渉性などから直線偏光をしたレーザが望ましい。具体的には半導体レーザ、Ｈｅ−Ｎｅレーザ、アルゴンレーザ、ＹＡＧレーザなどが挙げられる。ビームエキスパンダ９は光源装置８の出射光を拡張、平行光束に整形するようになっている。整形された光はミラー１０により反射型空間光変調器１１に照射される。反射型空間光変調器１１は格子状に２次元に配置された複数の画素を有し、画素毎に反射光の方向を変える、若しくは、画素毎に反射光の偏光方向を変えることにより、２次元パターンとして情報を付与した情報光と、空間的に変調された参照光を同時に生成できるようになっている。反射型空間光変調器１１としてはデジタルミラーデバイスや反射型液晶素子、磁気光学効果を用いた反射型変調素子などを用いることが出来る。図２に示した本実施形態ではデジタルミラーデバイスを反射型空間光変調器として用いた図である。反射型空間光変調器１１には図３に示すような変調模様が表示されており、光軸の中心付近を情報光領域２８、周辺部分を参照光領域２９として用いることが出来る。反射型空間光変調器１１によって反射された記録光は結像レンズ１２、１３を介して偏光ビームスプリッタ１４に入射する。ここで記録光は偏光ビームスプリッタ１４を透過するように、光源装置８からの出射時点で偏光方向が調整されている。偏光ビームスプリッタ１４を透過した記録光は旋光用光学素子１５を透過し、ダイクロイックプリズム１６に入射する。ダイクロイックプリズム１６は記録光の波長を透過するように設計されている。ダイクロイックプリズム１６を透過した光は対物レンズ７によって光記録媒体１に照射され、光記録媒体１の反射層５の表面でそのビーム径が最小になるように集光する。旋光用光学素子１５としては１／４波長板や１／２波長板などを用いることが出来る。このように、光軸の中心部を情報光、周辺部を参照光とする記録光が光記録媒体１に照射されることにより、記録層３の内部で情報光と参照光が干渉し、光記録媒体１にホログラム６が形成される。記録された情報の再生する際は、図４に示す、図３に示した記録光と比較して周辺部の参照光領域が同一の変調模様を反射型空間光変調器１１に表示し、記録時と同様に光記録媒体１に参照光として照射する。参照光の一部は光記録媒体１を透過する際ホログラム６により回折され再生光となる。再生光は反射層５によって反射された後、対物レンズ７、ダイクロイックプリズム１６透過し、旋光用光学素子１５を透過する際に参照光とは異なる偏光成分を含むようになり、偏光ビームスプリッタ１４によって反射される。なお、偏光ビームスプリッタ１４での再生光の反射率が最も高くなるように旋光用光学素子１５の回転角度が調節されていることが望ましい。偏光ビームスプリッタ１４によって反射された再生光は結像レンズ１８により２次元光検出器１９上に再生像として結像される。また、ホログラム６により回折されなかった参照光は透過光となって再生光と同様に２次元光検出器２０上に結像するが、中心部が再生光、周辺部が透過光となるので、空間的に容易に分離することができる。なお、再生信号のＳＮ比を良くするために、光検出器２０の前にアイリス２１を配して参照光部分を遮ってもよい。
【００５４】
（記録再生方法）
次に光記録媒体１に対するサーボ、若しくは既存の光ディスクに対する記録再生の方法について説明する。図２に示した光記録再生装置はサーボ用、既存の光ディスクに対する記録再生用光源装置２１を有している。光源装置２１としては直線偏光をしたレーザが望ましい。レーザとしては具体的には半導体レーザが挙げられ、記録用光源装置８とは異なる波長であり、記録層３の光学特性を変化させないものであることが望ましく、波長６５０ｎｍ付近の赤色半導体レーザや波長７８０ｎｍ付近の近赤外半導体レーザが望ましい。光源装置２１により射出されたサーボ光はコリメートレンズ２２によって平行光束に整形され偏光ビームスプリッタ２３に入射する。ここでサーボ光は偏光ビームスプリッタ２３を透過するように、光源装置２１からの出射時点で偏光方向が調整されている。偏光ビームスプリッタ２３を透過したサーボ光は旋光用光学素子２４を透過し、ダイクロイックプリズム１６に入射する。ダイクロイックプリズム１６はサーボ光の波長を反射するように設計されている。旋光用光学素子２４としては１／４波長板、１／２波長板などを用いることが出来る。ダイクロイックプリズム１６によって反射されたサーボ光は、対物レンズ７によって光記録媒体１に照射され、光記録媒体１の反射層５の表面でそのビーム径が最小になるように集光する。サーボ光は反射層５によって反射され、その際、反射面上に形成されたピットによって変調される。光記録媒体１からのサーボ戻り光は対物レンズ７を透過し、ダイクロイックプリズム１６によって反射され、更に旋光用光学素子２４を透過する。サーボ戻り光は、旋光用光学素子２４を透過する際に光源装置２１により射出されたサーボ光とは異なる偏光成分を含むようになり、偏光ビームスプリッタ２３によって反射される。なお、偏光ビームスプリッタ２３でのサーボ戻り光の反射率が最も高くなるように旋光用光学素子２４の回転角度が調節されていることが望ましい。偏光ビームスプリッタ２３で反射されたサーボ戻り光は、凸レンズ２５、シリンドリカルレンズ２６を透過した後、４分割フォトディテクタ２７によって検出される。この４分割フォトディテクタの出力に基づいてアドレス信号、フォーカスエラー信号、トラッキングエラー信号が生成さる。
【００５５】
図５は、４分割フォトディテクタ２７の出力に基づいて、フォーカスエラー信号及びトラッキングエラー信号を検出するための回路を示すブロック図である。この検出回路は４分割フォトディテクタ２７の対角の受光部２７a、２７dの各出力を加算する加算器３０と、４分割フォトディテクタ２７の対角の受光部２７ｂ、２７ｃの各出力を加算する加算器３１と、加算器３０の出力と加算器３１の出力との差を演算して、非点収差法によるフォーカスエラー信号ＦＥを生成する減算器３２と、４分割フォトディテクタのトラック方向に沿って隣り合う受光部２７a、２７bの各出力を加算する加算器３３と、４分割フォトディテクタのトラック方向に沿って隣り合う受光部２７c、２７dの各出力を加算する加算器３４と、加算器３３の出力と加算器３４の出力との差を演算して、プッシュプル法によるトラッキングエラー信号ＴＥを生成する減算器３５と、加算器３３の出力と加算器３４の出力とを加算して再生信号ＲＦを生成する加算器３６とを備えている。なお、本実施形態では、再生信号ＲＦは光記録媒体１の反射層５上に予め記録された情報を再生した信号である。光記録再生装置と光記録媒体の位置ずれ補正は、上述のように４分割フォトディテクタ２７より得られたフォーカスエラー信号ＦＥ、トラッキングエラー信号ＴＥがそれぞれ０になるように図２に示したボイスコイルモータ１７を用いて対物レンズ７を駆動することにより行う。
【００５６】
（光記録再生装置の全体構成）
次に図６を用いて本発明に係る光記録再生装置の全体構成について説明する。光情報記録再生装置は光情報記録媒体１が取り付けられるスピンドル３８と、このスピンドルを回転させるスピンドルモータ３９と、光記録媒体の回転数を所定の値に保つようにスピンドルモータを制御するスピンドルサーボ回路４０とを備えている。なお、スピンドルモータ３９の代わりにステッピングモータを用いてもかまわない。光情報記録再生装置は、更に、光記録媒体１に対して情報光と記録用参照光とを照射して情報を記録すると共に、光情報記録媒体１に対して再生用参照光を照射し、再生光を検出して、光記録媒体１に記録されている情報を再生するためのピックアップ３７と、光源装置４２と、このピックアップ３７と光源装置４２を光情報記録媒体１の半径方向に移動可能とする駆動装置４１とを備えている。 光情報記録再生装置は、更に、ピックアップ３７の出力信号よりフォーカスエラー信号ＦＥ、トラッキングエラー信号ＴＥ、および再生信号ＲＦを検出するための検出回路４３と、この検出回路４３によって検出されるフォーカスエラー信号ＦＥに基づいて、ピックアップ３７内のアクチュエータを駆動して対物レンズを光記録情報媒体１の厚み方向に移動させてフォーカスサーボを行うフォーカスサーボ回路４４と、検出回路４３によって検出されるトラッキングエラー信号ＴＥに基づいてピックアップ３７内のアクチュエータを駆動して対物レンズを光情報記録媒体１の半径方向に移動させてトラッキングサーボを行うトラッキングサーボ回路４５と、トラッキングエラー信号ＴＥおよび後述するコントローラからの指令に基づいて駆動装置４１を制御してピックアップ６１を光情報記録媒体１の半径方向に移動させるスライドサーボを行うスライドサーボ回路４６とを備えている。 光情報記録再生装置は、更に、ピックアップ３７内の２次元光検出器の出力データをデコードして、光情報記録媒体１の情報記録領域に記録されたデータを再生したり、検出回路４３からの再生信号ＲＦより基本クロックを再生したりアドレスを判別したりする信号処理回路４７と、光情報記録再生装置の全体を制御するコントローラ４８と、このコントローラに対して種々の指示を与える操作部４９とを備えている。コントローラ４８は、信号処理回路４７より出力される基本クロックやアドレス情報を入力すると共に、ピックアップ３７、スピンドルサーボ回路４０、スライドサーボ回路４６等を制御するようになっている。スピンドルサーボ回路４０は、信号処理回路４７より出力される基本クロックを入力するようになっている。コントローラ４８は、ＣＰＵ（中央処理装置）、ＲＯＭ（リード・オンリ・メモリ）およびＲＡＭ（ランダム・アクセス・メモリ）等を有し、ＣＰＵが、ＲＡＭを作業領域として、ＲＯＭに格納されたプログラムを実行することによって、コントローラ４８の機能を実現するようになっている。
【００５７】
以上の形態によって本発明は実施することができるが、前述したように本発明は光情報記録媒体１として透過型光記録媒体を用いても構わない。最近では、ダイクロイック反射層を有する光情報記録媒体１を用いたホログラム記録に関しても、国際学会であるOptical Data Storage Topical Meeting 2004 においては堀米らから発表されている。 Hideyuki Horimai and Kun Li, “A novel Collinear optical Setup for  Holographic data Storage System”, Technical Digest of Optical Data Storage Topical Meeting 2004, pp 258-260, (2004).。また光情報記録再生装置としては、情報光と参照光の干渉方法は、二光束干渉法であっても同軸干渉法であってもかまわないし、空間光変調器にデジタルミラーデバイスではなく、反射型液晶素子や反射型磁気光学素子を用いても構わない。
【００５８】
（透過型同軸干渉法）
次に透過型同軸干渉法に本発明を適用した例について説明する。図７には透過型同軸干渉法に用いられる光情報記録媒体の概略図を、図８には透過型同軸干渉法を用いた光情報記録再生装置の概略図を示す。図７に示した光記情報記録媒体１は、図１に示した光記録媒体１から反射層５を取り除いた構成となっている。
【００５９】
このうち、本発明に係る色素を添加する部分としては、透明基板４、若しくは記録層３が好ましいが、これに限られない。
【００６０】
図８に示した光情報記録再生装置の基本の構成は図２に示した光情報記録再生装置とほぼ同じである。
【００６１】
光源装置８しては可干渉性などから直線偏光をしたレーザが望ましい。ビームエキスパンダ９は光源装置８の出射光を拡張、平行光束に整形するようになっている。整形され光はミラー１０により反射型空間光変調器１１に照射される。反射型空間光変調器１１は格子状に２次元に配置された複数の画素を有し、画素毎に反射光の方向を変える、若しくは、画素毎に反射光の偏光方向を変えることにより、２次元パターンとして情報を付与した情報光と、空間的に変調された参照光を同時に生成できるようになっている。ここでは反射型空間光変調器１１としてはデジタルミラーデバイスを用いた構成を示している。反射型空間光変調器１１には図３に示すような変調模様が表示されており、光軸の中心付近を情報光領域２８、周辺部分を参照光領域２９として用いることが出来る。反射型空間光変調器１１によって反射された記録光は結像レンズ１２、１３を介してダイクロイックプリズム１６に入射する。ダイクロイックプリズム１６は記録光の波長を透過するように設計されている。ダイクロイックプリズム１６を透過した光は対物レンズ７によって光記録媒体１に照射され、光記録媒体１の透明基板４の外側界面でそのビーム径が最小になるように集光する。このように、光軸の中心部を情報光、周辺部を参照光とする記録光が光記録媒体１に照射されることにより、記録層３の内部で情報光と参照光が干渉し、光記録媒体１にホログラム６が形成される。記録された情報の再生する際は、図４に示す、図３に示した記録光と比較して周辺部の参照光領域が同一の変調模様を反射型空間光変調器１１に表示し、記録時と同様に光記録媒体１に参照光として照射する。参照光の一部は光記録媒体１を透過する際ホログラム６により回折され再生光となる。再生光は光記録媒体１を透過する形で出射され、ピックアップレンズ５０を透過し２次元光検出器１９上に再生像として結像される。また、ホログラム６により回折されなかった参照光は透過光となって再生光と同様に２次元光検出器１９上に結像するが、中心部が再生光、周辺部が透過光となるので、空間的に容易に分離することができる。なお、再生信号のＳＮ比を良くするために、光検出器１９の前にアイリス２０を配して参照光部分を遮ってもよい。
【００６２】
サーボや既存の光ディスクに対する記録再生の方法については、前述した図２に示した光記録再生装置におけるものと比較して、サーボ光の一部が透明基板４の外側界面で反射され、その際、透明基板４の外側面上に形成されたピットによって変調される面を除いては同じである。又、４分割フォトディテクタ２７より得られるフォーカスエラー信号、トラッキングエラー信号を用いてボイスコイルモータ５１を駆動してピックアップレンズ５０の位置調整を行うこともできる。
【００６３】
（ダイクロイック反射型光記録媒体）
更に、ダイクロイック反射層を有する光情報記録媒体を用いる場合の実施形態について説明する。図９に反射型同軸干渉法に用いられるダイクロイック反射層を有する光情報記録媒体の概略図を示す。光記録媒体１は、図１に示した光記録媒体に加えてダイクロイック反射層５２を備えている。ダイクロイック反射層は図２の光源装置８から出射された記録光の波長は反射し、図２のサーボ用光源装置２２から出射されたサーボ光の波長は透過する性質をもっており、誘電体多層膜などからなっている。誘電体多層膜を形成する材料としてはSiO2、TiO2、NbO3、CaF2などを用いることができる。また記録光が集光され、光強度が非常に強くなっている領域でのホログラムの記録を避けるために、ギャップ層５３を有してもよい。ギャップ層５３は記録光を透過し、記録層３の記録材料と相溶しないものであればよく、ガラスやポリカーボネートなどがあげられる。このうち、本発明に係る色素を添加する部分としては、ギャップ層５３、若しくは記録層３が好ましいが、これに限られない。
【００６４】
光情報記録再生装置としては図２に示したものとほぼ同じ構成のものを用いることができる。ホログラム記録時、記録光は対物レンズ７によって光記録媒体１に照射され、光記録媒体１のダイクロイック反射層５２の表面でそのビーム径が最小になるように集光し、記録層３の中にホログラム６を形成する。一方、サーボ光はダイクロイック反射層５２を透過し反射層５の表面でそのビーム径が最小になるように集光する。記録光とサーボ光の集光位置を異ならせる手法としては、色収差のある対物レンズを用いる、図２のサーボ用、既存の光ディスクに対する記録再生用光源装置２１とコリメートレンズ２２の間隔を広げる、図２の旋光用光学素子２４とダイクロイックプリズム１６の間に補正用の凹レンズを挿入する、などの手法を用いることができる。
【００６５】
（透過型二光束干渉法）
更に、透過型二光束干渉法に本発明を適用した例について説明する。光情報記録媒体としては図７に示した透過型光情報記録媒体とほぼ同じ構成のものを用いることができる。このうち、本発明に係る色素を添加する部分としては、透明基板４、若しくは記録層３が好ましいが、これに限られない。
【００６６】
図１０に透過型二光束干渉法を用いた光記録再生装置の概略図を示し構成について説明する。光源装置８としては前述の光情報記録再生装置と同様に直線偏光をしたレーザが望ましい。光源装置８を出射した光は旋光用光学素子５４と偏光ビームスプリッタ５５により情報光と参照光に分けられる。旋光用光学素子５４としては１／４波長板や１／２波長板などを用いることが出来る。偏光ビームスプリッタ５５を透過した光は情報光として用いられ、情報光の生成方法としては前述の光情報記録再生装置とほぼ同じである。ビームエキスパンダ９は偏光ビームスプリッタ５５を透過した光を拡張、平行光束に整形するようになっている。整形され光はミラー１０により反射型空間光変調器１１に照射される。反射型空間光変調器１１は格子状に２次元に配置された複数の画素を有し、画素毎に反射光の方向を変える、若しくは、画素毎に反射光の偏光方向を変えることにより、２次元パターンとして情報を付与した情報光を生成できるようになっている。ここでは反射型空間光変調器１１としてはデジタルミラーデバイスを用いた構成を示している。反射型空間光変調器１１によって生成された情報光は結像レンズ１２、１３を介してダイクロイックプリズム１６に入射する。ダイクロイックプリズム１６は記録光の波長を透過するように設計されている。ダイクロイックプリズム１６を透過した光は対物レンズ７によって光記録媒体１に照射される。
【００６７】
一方、偏光ビームスプリッタ５５により反射された光は参照光として用いられる。偏光ビームスプリッタ５５により反射された光は、まず、１／２波長板５６により情報光と同じ偏光方向の光に変換される。偏光方向を変換された後、ミラー５７、ミラー５８により、光記録媒体１の記録層３の内部で情報光と重なるように照射される。記録層３の内部で情報光と参照光が干渉することにより、ホログラムとして情報を記録することができる。
【００６８】
記録された情報の再生する際は光記録媒体１に参照光のみを照射する。参照光の一部は光記録媒体１を透過する際記録されたホログラムにより回折され再生光となる。回折された再生光はピックアップレンズ５０により２次元光検出器１９上に再生像として結像される。
【００６９】
前述すべての光情報記録媒体、光情報記録再生装置の構成において、サーボ用、既存の光ディスクに対する記録再生用光源装置２１から赤色若しくは近赤外の光を高出力で出射することにより、光情報記録媒体に含まれる色素を多光子励起し、その色素からの発光により本発明の特徴である光処理を行うことが出来る。
【００７０】
以上のような手法により、光励起による重合反応を用いた光情報記録媒体、光情報記録再生装置において、記録用光源とは別に発光ダイオードなどの光源を搭載することなく光情報記録媒体の光処理を可能にし、簡素で小型の光情報記録再生装置が提供される。
【実施例】
【００７１】
以下に実施例を説明するが、本発明の主旨を超えない限り、本発明は以下に掲載される実施例に限定されるものでない。
【００７２】
（実施例１）
＜光記録媒体の作製＞
本実施例では、以下の方法により図１に示す反射型光情報記録媒体を作製した。
【００７３】
（記録層の調製）
まず、ビニルカルバゾール０．９９１ｇに、イルガキュア７８４（チバスペシャルティケミカルズ社製）０．０２２ｇ、２光子吸収色素である1,4-bis(4-{2-[4(N-methyl)pyridinium]ethenyl}phenyl)butadiyne  triflateを０．０１ｇ、1，6−ヘキサンジオールジグリシジルエーテル３．０２ｇとテトラエチレンペンタミン０．９４５ｇを混合、脱泡して光記録媒体前駆体を調製した。
【００７４】
（媒体の作製）
アルミニウムにより形成された反射層を有するガラス基板（厚さ０．５ｍｍ）を準備し、反射層とは反対側の主面上円周部にフッ素樹脂からなる厚さ２５０μｍのスペーサを載置し、その間に（記録層の調製）で得た混合溶液をキャストした。キャスト後、別途準備したガラス基板（厚さ０．５ｍｍ）を対向配置し、さらに一様圧力を加えることにより、上記混合溶液を厚さ２５０μｍにまで延伸した。最後に５０℃で１０時間加熱して厚さ２５０μmの記録層をもつ光記録媒体を作成した。本実施例で作成した光記録媒体はガラス基板が保護層２を形成している。なお、本実施例では一連の作業は記録層が感光しないよう波長600nmより短い光が遮光されている室内で行った。
【００７５】
＜情報の記録＞
（光情報記録再生装置）
まず、光情報記録再生装置として、図２に示す構成の光情報記録再生装置を準備した。記録用光源装置８としては外部共振器付き青色半導体レーザ装置（波長405nm、出力10mW）を用いた。２光子吸収励起を行う光源装置２１としては赤色半導体レーザ（波長650nm、出力150mW）を用いた。反射型空間光変調器１１してはデジタルミラーデバイスを用い、２次元光検出器１９としてはＣＣＤアレイを用いた。旋光用光学素子１５としては波長405nm用の１／４波長板、旋光用光学素子２４としては波長650nm用の１／４波長板を用いた。また、旋光用光学素子１５として用いた１／４波長板は、２次元光検出器１９上で再生光と強度が最も大きくなるようにその方位を調整し、旋光用光学素子２４においてもそれぞれ、４分割フォトディテクタ２７上での光強度が最も強くなるようにその方位を調整した。
【００７６】
本実施例では、光情報記録媒体はステッピングモータで駆動するステージ上に配されており、記録前に反射層上で記録光のスポットが最小になるようにフォーカシングを行った後は、光情報記録媒体は移動させずに情報の記録再生を行った。デジタルミラーデバイス１１上の画素としては４００×４００の１６００００画素の領域を用い、そのうち、情報光領域としては中心部の１４４×１４４の領域を用い、隣接する４×４の１６画素を１シンボルとし、１６画素中の３画素を明点とする１６：３変調方法を用いた。位置合わせマークのための領域を除いた情報光領域内のシンボルの数は１１２０シンボルであった。
【００７７】
（記録前光処理）
次に、上記光情報記録媒体を上記光情報記録再生装置に搭載し、赤色半導体レーザ２１を１秒間点灯し記録前光処理を行った。光情報記録媒体表面での赤色レーザの光強度は50mWであった。
【００７８】
（記録）
光処理の後、デジタルミラーデバイス１１上に情報光領域、参照光領域の両方を表示した状態で、記録用半導体レーザ装置８を１秒間点灯することにより情報の記録を行った。光情報記録媒体表面での記録光の光強度は0.1mW、記録層の上面でのレーザビームのスポットサイズは400μm径であった。
【００７９】
＜情報の再生＞
（再生）
情報の記録終了後、３０秒後、３００秒後に、デジタルミラーデバイス１１上に参照光領域のみを表示した状態で、記録用半導体レーザ装置８を１秒間点灯し、２次元光検出器であるＣＣＤアレイ１９で再生光を得た。光情報記録媒体表面での再生光の光強度は0.02mWであった。
【００８０】
（判別）
次に、上記光記録媒体の記録再生性能を下記の手法で評価した。
【００８１】
上記ＣＣＤで得られた再生光に対して、位置合わせマークを参照して画像処理を行った。この後、明点、暗点の判別、出力パターンの判別を行い、デジタルミラーデバイス１１に入力した情報光パターンと比較し、シンボルのエラー数を算出した。結果を表１に示す。
【００８２】
（実施例２）
＜情報の記録＞（記録）までは（実施例１）と同じ手順で情報の記録を行った。
【００８３】
（記録後光処理）
情報の記録終了後、赤色半導体レーザ２１を２０秒間点灯し記録後光処理を行った。光情報記録媒体表面での赤色レーザの光強度は50mWであった。情報の記録後、３０秒後、６００秒後に（実施例１）同様の手法で再生光を得た。光情報記録媒体表面での再生光の光強度は0.02mWであった。最後に（実施例１）と同様の手法で再生光の判別を行った。結果を表１に示す。
【００８４】
（実施例３）
＜光記録媒体の作製＞
本実施例では、以下の方法により図１に示す反射型光情報記録媒体を作製した。
【００８５】
（記録層の調製）
まず、ビニルカルバゾール０．９９１ｇに、イルガキュア７８４（チバスペシャルティケミカルズ社製）０．０２２ｇ、1，6−ヘキサンジオールジグリシジルエーテル３．０２ｇとテトラエチレンペンタミン０．９４５ｇを混合、脱泡して光記録媒体前駆体を調製した。
【００８６】
（基板の作製）
本実施例では、ガラス基板上に２光子吸収色素を含有したポリマー膜を塗布したものを基板とした。
【００８７】
まず、ポリメチルメタクリレート（ＰＭＭＡ）１．９９ｇと２光子吸収色素である1,4-bis(4-{2-[4(N-methyl)pyridinium]ethenyl}phenyl)butadiyne  triflate０．０１ｇ混合したものを、乳酸エチル１８ｇに溶解させた。次にこの溶液を、アルミニウムにより形成された反射層を有するガラス基板（厚さ０．５ｍｍ）の反射層とは反対側の主面上にスピンコートした後、５０℃に加熱したホットプレート上で１０分間乾燥し、２光子吸収色素層を形成した。２光子吸収色素層の厚みは１０μmであった。
【００８８】
（媒体の作製）
前述で形成した２光子吸収層上にフッ素樹脂からなる厚さ２５０μｍのスペーサを載置し、その間に（記録層の調製）で得た混合溶液をキャストした。キャスト後、別途準備したガラス基板（厚さ０．５ｍｍ）を対向配置し、さらに一様圧力を加えることにより、上記混合溶液を厚さ２５０μｍにまで延伸した。最後に５０℃で１０時間加熱して厚さ２５０μmの記録層をもつ光記録媒体を作成した。本実施例では一連の作業は記録層が感光しないよう波長600nmより短い光が遮光されている室内で行った。
【００８９】
＜情報の記録＞
（光情報記録再生装置）
光情報記録再生装置としては（実施例１）と同じく図２に示す構成の光情報記録再生装置を用いた。
【００９０】
（記録前光処理）
次に、上記光情報記録媒体を上記光情報記録再生装置に搭載し、赤色半導体レーザ２１を１秒間点灯し記録前光処理を行った。光情報記録媒体表面での赤色レーザの光強度は50mWであった。
【００９１】
（記録）
光処理の後、デジタルミラーデバイス１１上に情報光領域、参照光領域の両方を表示した状態で、記録用半導体レーザ装置８を１秒間点灯することにより情報の記録を行った。光情報記録媒体表面での記録光の光強度は0.1mW、記録層の上面でのレーザビームのスポットサイズは400μm径であった。
【００９２】
＜情報の再生＞
（再生）
情報の記録終了後、３０秒後、３００秒後に、デジタルミラーデバイス１１上に参照光領域のみを表示した状態で、記録用半導体レーザ装置８を１秒間点灯し、２次元光検出器であるＣＣＤアレイ１９で再生光を得た。光情報記録媒体表面での再生光の光強度は0.02mWであった。
【００９３】
（判別）
次に、上記光記録媒体の記録再生性能を下記の手法で評価した。
【００９４】
上記ＣＣＤで得られた再生光に対して、位置合わせマークを参照して画像処理を行った後、明点、暗点の判別、出力パターンの判別を行い、デジタルミラーデバイス１１に入力した情報光パターンと比較した。結果を表１に示す。
【００９５】
（実施例４）
＜情報の記録＞（記録）までは（実施例３）と同じ手順で情報の記録を行った。
【００９６】
（記録後光処理）
情報の記録終了後、赤色半導体レーザ２１を２０秒間点灯し記録後光処理を行った。光情報記録媒体表面での赤色レーザの光強度は50mWであった。情報の記録後、３０秒後、６００秒後に（実施例３）同様の手法で再生光を得た。光情報記録媒体表面での再生光の光強度は0.02mWであった。最後に（実施例３）と同様の手法で再生光の判別を行った。結果を表１に示す。
【００９７】
（比較例１）
（実施例１）における（記録前光処理）の工程を除いた以外は同様の手法で情報の記録再生、判別を行った。再生は記録後３０秒後、６００秒後に行い結果は表１に示す。
【００９８】
（比較例２）
（実施例１）に比較して、（記録前光処理）の光源として記録用半導体レーザ装置８を用いた。記録用半導体レーザ装置８を１秒間点灯することにより記録前光処理を行った。光情報記録媒体表面での記録光の光強度は0.02mWであった。
【００９９】
情報の記録再生、判別は（実施例１）と同じ手順で行った。再生は記録終了後３０秒後、６００秒後に行い結果は表１に示す。
【０１００】
（比較例３）
（実施例２）に比較して、（記録前光処理）（記録後光処理）の光源として記録用半導体レーザ装置８を用いた。情報の記録までは（比較例２）と同様の手順で行った。情報の記録終了後、記録用半導体レーザ装置８を２０秒間点灯することにより記録後光処理を行った。光情報記録媒体表面での記録光の光強度は0.02mWであった。
【０１０１】
情報の判別は（実施例１）と同じ手順で行った。再生は記録終了後３０秒後、６００秒後に行い結果は表１に示す。
【０１０２】
（比較例４）
（実施例１）に比較して、2光子吸収色素のみを含有しない光記録媒体を作製し、（実施例１）と同様の手順で、（記録前光処理）、（記録）、（再生）、（判別）を行った。結果を［表１］に示す。
【０１０３】
（比較例５）
（実施例２）に比較して、2光子吸収色素のみを含有しない光記録媒体を作製し、（実施例２）と同様の手順で（記録）、（記録後光処理）、（再生）、（判別）を行った。結果を［表１］に示す。
【０１０４】
これらより、2光子吸収色素と赤色レーザによって光処理が行われていることがわかる。
【表１】
2007328149.tif 000004
【０１０５】
表１に示すように、実施例１は比較例１および比較例２に比してエラー数が少ない。よって、記録前に赤色の処理光を照射した場合は、処理光を照射しない場合や記録前に赤色の処理光を照射した場合に比して、ノイズが少ないことがわかる。
【０１０６】
また、実施例１は比較例４に比してエラー数が少ない。よって、多光子吸収色素を含む光記録媒体は、それを含まない光記録媒体に比して、ノイズが少ないことがわかる。
【０１０７】
さらに、実施例２は実施例１に比してエラー数が少ない。よって、記録前のみに処理光を照射した場合に比して、記録前後に光を照射した方は、ノイズが少ないことがわかる。
【０１０８】
多光子吸収色素が基板に含有している実施例３および４についても、実施例１および２と同様の傾向を有することがわかる。
【０１０９】
以上、本発明の実施の形態を説明したが、本発明はこれらに限られず、特許請求の範囲に記載の発明の要旨の範疇において様々に変更可能である。また、本発明は、実施段階ではその要旨を逸脱しない範囲で種々に変形することが可能である。さらに、上記実施形態に開示されている複数の構成要素を適宜組み合わせることにより種々の発明を形成できる。
【図面の簡単な説明】
【０１１０】
【図１】反射型同軸干渉法に用いられるディスク状に形成された光記録媒体１と、その近傍での光学系の概略図
【図２】同軸干渉法を用いた光記録再生装置の概略図
【図３】記録時の反射型空間光変調器１１の変調模様
【図４】再生時の反射型空間光変調器１１の変調模様
【図５】４分割フォトディテクタ２７の出力に基づいて、フォーカスエラー信号及びトラッキングエラー信号を検出するための回路を示すブロック図
【図６】光記録再生装置の全体構成
【図７】透過型同軸干渉法に用いられる光情報記録媒体の概略図
【図８】透過型同軸干渉法を用いた光情報記録再生装置の概略図
【図９】反射型同軸干渉法に用いられるダイクロイック反射層を有する光情報記録媒体の概略図
【図１０】透過型二光束干渉法を用いた光記録再生装置の概略図
【図１１】本発明に係る２光子吸収に起因する重合反応の機構を示す概略図。
【図１２】一般的に用いられる２光子吸収に起因する重合反応の機構を示す概略図。
【符号の説明】
【０１１１】
１・・・光記録媒体
２・・・保護層
３・・・記録層
４・・・透明基板
５・・・反射層
６・・・ホログラム
７・・・対物レンズ
【図１】
2007328149.tif 000005
【図２】
2007328149.tif 000006
【図３】
2007328149.tif 000007
【図４】
2007328149.tif 000008
【図５】
2007328149.tif 000009
【図６】
2007328149.tif 000010
【図７】
2007328149.tif 000011
【図８】
2007328149.tif 000012
【図９】
2007328149.tif 000013
【図１０】
2007328149.tif 000014
【図１１】
2007328149.tif 000015
【図１２】
2007328149.tif 000016